(57)【要約】【課題】引き折戸装置Ａの全開時に戸枠２の外側に引き折戸１５を収納するための省スペース化を達成しつつ、戸枠２の開口４内に広い開放スペースを確保できるようにする。【解決手段】引き折戸１５は、左右方向に引き操作される引戸１６と、この引戸１６の戸尻側に連結された２枚の折戸１８Ｌ，１８Ｒとを備え、引戸１６は、戸枠２に沿ってスライド移動可能に設けられている。引戸１６とそれに隣接する戸先側折戸１８Ｌとは上下方向の軸心回りに揺動可能に連結され、２枚の折戸１８Ｌ，１８Ｒは上下方向の軸心回りに揺動可能に連結され、戸尻側に位置する戸尻側折戸１８Ｒの戸尻側端部は、戸枠２周囲の前側に位置する支持ブラケット６に上下方向の軸心を有する折戸軸２２を介して揺動可能に支持されている。引き折戸１５が戸枠２内の開口４を開いた全開位置では、折戸１８Ｌ，１８Ｒが戸枠２前側の開口４の外部で折り畳まれて収納されるように構成する。【選択図】図１
2015190137.tif 000002
【特許請求の範囲】
【請求項１】
戸枠の前側を戸枠に沿って左右方向に移動して戸枠内の開口を開閉する引き折戸を有する引き折戸装置であって、
上記引き折戸は、操作部により左右方向に引き操作される引戸と、該引戸の戸尻側に連結された複数枚の折戸とを備え、
上記引戸は、上記戸枠に沿ってスライド移動可能に設けられ、
上記引戸と該引戸に隣接する戸先側折戸とは上下方向の軸心回りに揺動可能に連結され、
上記複数枚の折戸は、互いに上下方向の軸心回りに揺動可能に連結され、
戸尻側に位置する戸尻側折戸の戸尻側端部は、戸枠周囲の前側に位置する折戸支持部に対し上下方向の軸心を有する折戸軸を介して揺動可能に支持されており、
引き折戸が戸枠内の開口を開いた全開位置では、上記折戸が戸枠前側の開口外部で折り畳まれて収納されるように構成されていることを特徴とする引き折戸装置。
【請求項２】
請求項１において、
引き折戸の全開位置では、引戸が戸枠の開口の前側外部に収納されるように構成されていることを特徴とする引き折戸装置。
【請求項３】
請求項１又は２において、
折戸の端部のうち、折戸の折り畳み時に前側に移動する端部同士は接続部材により連結され、
引き折戸が全閉位置から全開位置に向かって移動するとき、上記接続部材の戸先側折戸との連結部を前側に向かうように案内して該戸先側折戸を回動させる連結案内部が設けられていることを特徴とする引き折戸装置。
【請求項４】
請求項３において、
折戸軸は、折戸支持部に左右方向にスライド移動可能に支持されていることを特徴とする引き折戸装置。
【請求項５】
請求項１又は２において、
折戸の端部のうち、折戸の折り畳み時に前側に移動する端部同士は接続部材により連結され、
引き折戸の全閉位置にあるとき、上記接続部材の戸先側折戸の連結位置は、戸尻側折戸の連結位置よりも前側にずれていることを特徴とする引き折戸装置。
【請求項６】
請求項１又は２において、
折戸軸は、折戸支持部に左右方向にスライド移動可能に支持され、
引き折戸が全閉位置から全開位置に向かって移動するとき、戸尻側折戸を前側に押して折戸軸回りに回動させる押し部材が設けられていることを特徴とする引き折戸装置。
【請求項７】
請求項１又は２において、
折戸軸は、折戸支持部にスライド移動可能に支持され、
引き折戸の全閉位置では、引戸及び折戸が戸枠の前側に戸枠に対し離隔した状態で位置しており、
引き折戸が全閉位置から全開位置に向かって移動するとき、折戸軸を後側に移動させるように案内する折戸軸案内部が設けられていることを特徴とする引き折戸装置。
【請求項８】
請求項１又は２において、
折戸軸は、戸枠周りの支持部にスライド移動可能に支持され、
引き折戸の全閉位置では、引戸及び折戸が戸枠の前側に戸枠に対し近接ないし当接した状態で位置しており、
引き折戸が全閉位置から全開位置に向かって移動するとき、引戸及び折戸を戸枠の前側に戸枠に対し離隔させた後に折戸軸を後側に移動させるように案内する引き折戸案内部が設けられていることを特徴とする引き折戸装置。
【発明の詳細な説明】
【技術分野】
【０００１】
本発明は、引戸と複数枚の折戸とを組み合わせた引き折戸を有する引き折戸装置に関する。
【背景技術】
【０００２】
戸枠内の開口を開閉する戸として、戸枠に沿ってスライドする引戸装置が一般に知られている。この引戸装置は、全開時に引戸が戸枠の外側に納められるので、戸枠内の開口全体を開放することができ、大きな開放スペースを確保することができる。
【０００３】
しかし、その反面、戸枠の外側に引戸を納めるために開口の幅の約２倍の大きさの設置スペースが必要であり、省スペース化が困難である。
【０００４】
一方、戸枠内の開口を開閉するための戸には、引き操作される引戸と、この引戸の戸尻側に連結された複数枚（偶数枚）の折戸とを備えた引き折戸装置も知られている。例えば特許文献１や特許文献２には、戸枠の開口内に引戸及び折戸からなる引き折戸を配置したインセット納まりのものが提案されている。
【先行技術文献】
【特許文献】
【０００５】
【特許文献１】特許第５１０００５１号
【特許文献２】特許第５３５１５０９号
【発明の概要】
【発明が解決しようとする課題】
【０００６】
これらインセット納まりの引き折戸装置では、全開時に戸枠の外側に引き折戸を収納するための設置スペースが不要であり、引戸装置に比べて容易に省スペース化を達成することができる。
【０００７】
しかし、上記提案の引き折戸装置では、引戸及び折戸が戸枠の開口内に配置されているため、全開状態であっても引戸や折り畳まれた折戸が開口の一部に残って塞ぐこととなる。そのため、戸枠の開口が比較的狭い場合には、広い開放スペースを確保するのが困難であり、使い勝手に難がある。
【０００８】
本発明は斯かる諸点に鑑みてなされたものであり、その目的は、引き折戸装置の構造を改良することにより、全開時に戸枠の外側に引き折戸を収納するための省スペース化を達成しつつ、戸枠の開口内に広い開放スペースを確保できるようにすることにある。
【課題を解決するための手段】
【０００９】
上記の目的を達成するために、この発明では、引き折戸が戸枠の外側で戸枠に沿ってスライド移動して戸枠内の開口を開閉するアウトセット式の引き折戸装置とするようにした。
【００１０】
具体的には、第１の発明の引き折戸装置は、戸枠の前側を戸枠に沿って左右方向に移動して戸枠内の開口を開閉する引き折戸を有する引き折戸装置であって、上記引き折戸は、操作部により左右方向に引き操作される引戸と、この引戸の戸尻側に連結された複数枚の折戸とを備えている。上記引戸は、上記戸枠に沿ってスライド移動可能に設けられ、上記引戸と該引戸に隣接する戸先側折戸とは上下方向の軸心回りに揺動可能に連結され、上記複数枚の折戸は、互いに上下方向の軸心回りに揺動可能に連結され、戸尻側に位置する戸尻側折戸の戸尻側端部は、戸枠周囲の前側に位置する折戸支持部に対し上下方向の軸心を有する折戸軸を介して揺動可能に支持されており、引き折戸が戸枠内の開口を開いた全開位置では、上記折戸が戸枠前側の開口外部で折り畳まれて（折り重なって）収納されるように構成されていることを特徴とする。
【００１１】
この第１の発明では、引き折戸は、戸枠の前側を戸枠に沿って左右方向に移動して戸枠内の開口を開閉するものであり、この引き折戸が戸枠内の開口を開くときには、引戸が戸枠に沿ってスライドすると、この引戸に連結された折戸も引戸によって押される。折戸のうちの戸尻側折戸は折戸軸を介して折戸支持部に支持されているので、この折戸軸と引戸との間で折戸が押されて折り重なり、戸尻側折戸は折戸軸回りに回動し、引き折戸の全開位置では、折戸が戸枠前側の開口外部で折り畳まれて収納される。そのため、全開状態では、折り畳まれた折戸が開口の一部に残って塞ぐことはなく、戸枠の開口が比較的狭い場合でも広い開放スペースを確保することができて使い勝手が向上する。
【００１２】
また、全開位置で折戸が戸枠前側の開口外部で折り畳まれて収納されるので、その収納のためのスペースが引戸装置に比べて小さくなり、省スペース化を達成することができる。
【００１３】
第２の発明は、第１の発明において、引き折戸の全開位置では、引戸が戸枠の開口の前側外部に収納されるように構成されていることを特徴とする。
【００１４】
この第２の発明では、引き折戸の全開位置で引戸が戸枠の開口の前側外部に収納されるので、戸枠内の開口が引戸と干渉することなく完全に開放されるようになり、戸枠の開口内の開放スペースをさらに大に確保することができる。
【００１５】
第３の発明は、第１又は第２の発明において、折戸の端部のうち、折戸の折り畳み時に前側に移動する端部同士は接続部材により連結され、引き折戸が全閉位置から全開位置に向かって移動するとき、上記接続部材の戸先側折戸との連結部を前側に向かうように案内して該戸先側折戸を回動させる連結案内部が設けられていることを特徴とする。
【００１６】
この第３の発明では、引戸が引き折戸の全閉位置から全開位置に向かって移動すると、この引戸の移動に伴い、折戸において折り畳み時に前側に移動する端部同士を連結している接続部材の戸先側折戸との連結部が連結案内部による案内により前側に押されて戸先側折戸が回動し、この戸先側折戸の回動によって両折戸の連結部が前側に折れ曲がり、この動作をきっかけ（契機、動因）として折戸が回動する。このことで複数枚の折戸をスムーズに折り畳むことができる。
【００１７】
第４の発明は、第３の発明において、折戸軸は、折戸支持部に左右方向にスライド移動可能に支持されていることを特徴とする。
【００１８】
この第４の発明では、引戸が引き折戸の全閉位置から全開位置に向かって移動するとき、一旦、引き折戸の全体が開き方向にスライドした後、上記第３の発明と同様の動作で複数枚の折戸が折り畳まれる。このことで、第３の発明と同様の作用効果を奏することができる。また、開き動作の初期に引き折戸の全体がスライドすることで、全開位置で引戸を戸枠開口の外側に移動させることができ、戸枠の開口内により一層広い開放スペースを確保することができる。
【００１９】
第５の発明は、第１又は第２の発明において、折戸の端部のうち、折戸の折り畳み時に前側に移動する端部同士は接続部材により連結され、引き折戸の全閉位置にあるとき、この接続部材の戸先側折戸の連結位置は、戸尻側折戸の連結位置よりも前側にずれていることを特徴とする。
【００２０】
この第５の発明では、引戸が引き折戸の全閉位置から全開位置に向かって移動すると、この引戸の移動により、引戸と、戸尻側折戸を支持している折戸軸との間にある折戸が両者から押される。このとき、隣接する折戸の折り畳み時に前側に移動する端部同士は接続部材により連結され、引き折戸の全閉位置では、この接続部材の戸先側折戸の連結位置が戸尻側折戸の連結位置よりも前側にずれており、このことで、戸先側折戸の戸尻側端部が戸尻側折戸の戸先側端部の前側に向かうように接続部材が回動して、両折戸の連結部が前側に折れ曲がり、この動作をきっかけとして折戸が回動する。このことで複数枚の折戸をスムーズに折り畳むことができる。
【００２１】
第６の発明は、第１又は第２の発明において、折戸軸は、折戸支持部に左右方向にスライド移動可能に支持され、引き折戸が全閉位置から全開位置に向かって移動するとき、戸尻側折戸を前側に押して折戸軸回りに回動させる押し部材が設けられていることを特徴とする。
【００２２】
この第６の発明では、引戸が引き折戸の全閉位置から全開位置に向かって移動すると、この引戸の移動により、戸尻側折戸を支持している折戸軸が折戸支持部に対しスライド移動する。このスライド移動に伴い、押し部材が戸尻側折戸を前側に押すようになり、この押し動作により戸尻側折戸が折戸軸を中心にして該折戸軸と反対側の端部が前側に向かうように回動する。この回動動作をきっかけとして該戸尻側折戸に連結されている他の折戸も回動し、このことで複数枚の折戸をスムーズに折り畳むことができる。
【００２３】
第７の発明は、第１又は第２の発明において、折戸軸は、折戸支持部にスライド移動可能に支持され、引き折戸の全閉位置では、引戸及び折戸が戸枠の前側に戸枠に対し離隔した状態で位置しており、引き折戸が全閉位置から全開位置に向かって移動するとき、折戸軸を後側に移動させるように案内する折戸軸案内部が設けられていることを特徴とする。
【００２４】
この第７の発明では、引き折戸の全閉位置で引戸及び折戸が戸枠の前側に戸枠に対し離隔した状態で位置しており、この引き折戸が全開位置に向かって移動すると、折戸支持部にスライド移動可能に支持されている折戸軸が折戸軸案内部により後側に向かって移動するように案内される。この折戸軸の後側への移動に伴い、戸尻側折戸が折戸軸を中心にして該折戸軸と反対側の端部が前側に移動するように回動する。この回動動作をきっかけとして該戸尻側折戸に連結されている他の折戸も回動し、このことで複数枚の折戸をスムーズに折り畳むことができる。
【００２５】
第８の発明は、第１又は第２の発明において、折戸軸は、戸枠周りの支持部にスライド移動可能に支持され、引き折戸の全閉位置では、引戸及び折戸が戸枠の前側に戸枠に対し近接ないし当接した状態で位置しており、引き折戸が全閉位置から全開位置に向かって移動するとき、引戸及び折戸を戸枠の前側に戸枠に対し離隔させた後に折戸軸を後側に移動させるように案内する引き折戸案内部が設けられていることを特徴とする。
【００２６】
この第８の発明では、引き折戸の全閉位置で引戸及び折戸が戸枠の前側に戸枠に対し近接ないし当接した状態で位置しており、この引き折戸が全開位置に向かって移動すると、引き折戸案内部により、引戸及び折戸が戸枠の前側に戸枠に対し離隔するように移動した後、折戸支持部にスライド移動可能に支持されている折戸軸が案内部により後側に向かって移動するように案内される。この折戸軸の後側への移動に伴い、戸尻側折戸が折戸軸を中心にして該折戸軸と反対側の端部が前側に移動するように回動する。この回動動作をきっかけとして該戸尻側折戸に連結されている他の折戸も回動し、このことで複数枚の折戸をスムーズに折り畳むことができる。また、引き折戸の全閉位置では、引戸及び折戸が戸枠の前側に戸枠に対し近接ないし当接しているので、戸枠の開口を引き折戸により隙間の無い状態ないし小さい状態で閉じることができる。
【発明の効果】
【００２７】
以上説明したように、本発明の引き折戸装置によると、戸枠外側の前側に引き折戸を戸枠に沿ってスライド可能に配置してアウトセット式としたことにより、引き折戸の全開状態では、折り畳まれた折戸が開口の一部に残って塞ぐのを防止できるとともに、全開位置で折戸を戸枠前側の開口外部で折り畳んで収納して、その収納スペースを小さくでき、よって、開き状態での戸枠開口の広い開放スペースの確保と、閉じ状態での折戸の格納スペースの省スペース化の達成とを併せ図ることができる。
【図面の簡単な説明】
【００２８】
【図１】図１は、本発明の実施形態１に係る引き折戸装置の開閉動作を概略的に示す平面図である。
【図２】図２は、両折戸の連結部分を拡大して示す概略平面図である。
【図３】図３は、実施形態２を示す図１相当図である。
【図４】図４は、両折戸の連結部分に位置する案内溝を示す拡大概略平面図である。
【図５】図５は、実施形態３を示す図１相当図である。
【図６】図６は、実施形態４を示す図１相当図である。
【図７】図７は、実施形態５を示す図１相当図である。
【図８】図８は、実施形態６を示す図１相当図である。
【発明を実施するための形態】
【００２９】
以下、本発明の実施形態を図面に基づいて詳細に説明する。以下の実施形態の説明は、本質的に例示に過ぎず、本発明、その適用物或いはその用途を制限することを意図するものでは全くない。
【００３０】
（実施形態１）
図１は本発明の実施形態に係る引き折戸装置Ａ１を概略的に示したものであり、１は建物等における壁で、この壁１によって部屋Ｒ１，Ｒ２が区画されている。壁１には開口部が形成され、この開口部の周りには戸枠２（建具枠）が施工されている。この戸枠２は左右方向に並べられて立設される１対の竪枠３Ｌ，３Ｒと、両竪枠３Ｌ，３Ｒの上端部間に架け渡された上枠（図示せず）とを備え、これら竪枠３Ｌ，３Ｒ及び上枠と、上枠の真下に位置する下方の床部（下枠に相当する）とに囲まれた部分に、出入り口となる矩形状の開口４が形成され、この戸枠２の開口４を引き折戸装置Ａ１が開閉するようになっている。
【００３１】
尚、以下の各実施形態の説明では、各図の下側を「前側」とし、上側を「後側」とし、左側を「左側」とし、右側を「右側」として説明する。換言すれば、壁１は前側の部屋Ｒ１と後側の部屋Ｒ２とを区画し、戸枠２の開口４は両部屋Ｒ１，Ｒ２間の出入り口であり、この出入り口を引き折戸装置Ａ１が開閉する。また、「戸先」は左側で、「戸尻」は右側である。
【００３２】
図示しないが、戸枠２における上枠の前側（図１（ａ）〜（ｄ）の下側）の側面には、その上枠に沿って左右方向に延びるガイドレールが取り付けられ、このガイドレールは左右端部がそれぞれ左右の竪枠３Ｌ，３Ｒに重なるように上枠の略全体に亘って延びている。
【００３３】
また、戸枠２における右側竪枠３Ｒ（戸枠２周囲）の前側には、折戸支持部としての支持ブラケット６が突設されている。
【００３４】
上記引き折戸装置Ａ１は、戸枠２の前側を戸枠２に沿って左右方向に移動して戸枠２内の開口４を開閉する引き折戸１５を有し、この引き折戸１５は１枚の引戸１６と、この引戸１６の戸尻側（右側）に連結された戸先側及び戸尻側の左右２枚の折戸１８Ｌ，１８Ｒとを備えている。引戸１６は折戸１８Ｌ，１８Ｒに比べて幅（左右方向の長さ）が小さい戸材であり、その前側及び後側の上下中間部にはそれぞれ操作部としての操作ハンドル１７，１７が取り付けられている。引戸１６はその上端部が上記ガイドレールに対し、上下方向の軸心回りに回動しないように例えば左右方向に離れた複数の車輪（図示せず）を介してスライド移動可能に吊下げ状態で支持されており、操作ハンドル１７を掴んで引戸１６をガイドレール（戸枠２）に沿って左右の竪枠３Ｌ，３Ｒ間を左右方向にスライドさせることで、引き折戸１５を開閉操作して戸枠２の開口４を開閉するようになっている。
【００３５】
上記各折戸１８Ｌ，１８Ｒは幅広の戸材からなり、両折戸１８Ｌ，１８Ｒは互いに同じ幅及び高さを有する。引戸１６の右端部と、引戸１６に隣接する左側の戸先側折戸１８Ｌの左端部（戸先側端部）とはヒンジ結合されており、このことで、引戸１６と戸先側折戸１８Ｌとは上下方向の軸心回りに揺動可能に連結されている。
【００３６】
また、両折戸１８Ｌ，１８Ｒの端部のうち、戸先側折戸１８Ｌの右端部（戸尻側端部）と戸尻側折戸１８Ｒの左端部（戸先側端部）とは、両折戸１８Ｌ，１８Ｒの折り畳み時に前側（部屋Ｒ１の内部）に移動する端部であり、これらの端部間には接続部材としてのリンク部材１９が介在されており、このリンク部材１９の両端部はそれぞれ上下方向の軸心を有するピボット軸２０，２０（図２参照）により戸先側折戸１８Ｌの右端部と戸尻側折戸１８Ｒの左端部とに連結されており、このことで、２枚の折戸１８Ｌ，１８Ｒ同士はリンク部材１９により互いに上下方向の軸心回りに揺動可能に連結されている。
【００３７】
さらに、引き折戸１５において戸尻側に位置する戸尻側折戸１８Ｒは、その戸尻側端部（右端部）において、上記支持ブラケット６（折戸支持部）に対し上下方向の軸心を有する折戸軸２２を介して揺動可能に支持されており、引き折戸１５は、引戸１６がガイドレールに支持され、戸尻側折戸１８Ｒの戸尻側端部が折戸軸２２を介して支持ブラケット６に支持されることで、全体が左右２箇所で支持されている。
【００３８】
そして、操作ハンドル１７を掴んで引戸１６を左右方向にスライド移動させることで、その引戸１６に連結された２枚の折戸１８Ｌ，１８Ｒを展開状態（開き状態）又は折り畳み状態（閉じ状態）に切り換えて戸枠２の開口４を開閉し、図１（ａ）に示すように、引戸１６を左端に移動させたときには、両折戸１８Ｌ，１８Ｒを引戸１６と直線状に並ぶように展開して全閉状態とする。一方、図１（ｄ）に示すように、引戸１６を右端に移動させたときには、両折戸１８Ｌ，１８Ｒを戸先側折戸１８Ｌの戸先側端部及び戸尻側折戸１８Ｒの戸尻側端部が引戸１６と直線状に配置されかつ戸先側折戸１８Ｌの戸尻側端部及び戸尻側折戸１８Ｒの戸先側端部が前側に突出するように折り畳んで（折り重ねて）全開状態とし、この引き折戸１５が戸枠２内の開口４を開いた全開位置では、両折戸１８Ｌ，１８Ｒが戸枠２における右側竪枠３Ｒ前側で開口４の外部で折り畳まれて収納され、かつ引戸１６の一部（例えば右半部）が同様に戸枠２における右側竪枠３Ｒ前側の開口４外部に収納されるようになっている。
【００３９】
また、図２に拡大して示すように、引き折戸１５が全閉位置にあるとき、上記両折戸１８Ｌ，１８Ｒを連結しているリンク部材１９において、その戸先側折戸１８Ｌの戸尻側端部へのピボット軸２０による連結位置は、戸尻側折戸１８Ｒの戸先側端部へのピボット軸２０による連結位置よりも前側（図２で下側）に距離Ｄだけずれている。このことで、引き折戸１５の全閉位置から引戸１６が右方向に移動するように押されたとき、両折戸１８Ｌ，１８Ｒを連結するリンク部材１９の連結位置（ピボット軸２０，２０の位置）のずれにより、図２に矢印で示すように、リンク部材１９を戸先側折戸１８Ｌの戸尻側端部が戸尻側折戸１８Ｒの戸先側端部に対して前側に移動するように図で反時計回り方向に回動させ、それら両端部が前側に移動して両折戸１８Ｌ，１８Ｒが折れ曲がるきっかけ（契機、動因）の動きを生じさせるようにしている。
【００４０】
次に、上記実施形態に係る引き折戸装置Ａ１の動作について説明する。図１（ａ）に示すように、戸枠２の開口４が引き折戸１５によって閉じられている全閉状態では、引戸１６は左端に位置し、両折戸１８Ｌ，１８Ｒは引戸１６と直線状に並ぶように展開されている。
【００４１】
この状態から引き折戸１５を開くときには、操作ハンドル１７を掴み、引戸１６をガイドレールに沿って右方向にスライド移動させる。このとき、引き折戸１５の全閉位置で、図２に示すように、両折戸１８Ｌ，１８Ｒを連結しているリンク部材１９の戸先側折戸１８Ｌのピボット軸２０による連結位置が戸尻側折戸１８Ｒの同連結位置よりも距離Ｄだけ前側にずれているので、引き折戸１５の全閉位置から引戸１６が右方向に移動するように押されるのに伴い、図１（ｂ）に示すように、戸先側折戸１８Ｌの戸尻側端部が戸尻側折戸１８Ｒの戸先側端部に対して前側に移動するようにリンク部材１９が図で反時計回り方向に回動し、それら両端部が前側に移動して両折戸１８Ｌ，１８Ｒが折れ曲がるきっかけの動きが生じる。この動きにより、図１（ｃ）に示すように、戸先側折戸１８Ｌの戸尻側端部と戸尻側折戸１８Ｒの戸先側端部とがいずれも前側に移動して両折戸１８Ｌ，１８Ｒが折れ曲がり、戸枠２の開口４が開き始める。
【００４２】
さらに折戸１８Ｌ，１８Ｒを右側に移動させて右端に位置付けると、図１（ｄ）に示すように、引き折戸１５が全開状態となり、戸枠２の開口４が開かれる。
【００４３】
この全開状態では、両折戸１８Ｌ，１８Ｒは、戸先側折戸１８Ｌの戸先側端部及び戸尻側折戸１８Ｒの戸尻側端部がいずれも引戸１６と直線上の位置に配置されかつ戸先側折戸１８Ｌの戸尻側端部及び戸尻側折戸１８Ｒの戸先側端部が前側に突出するように折り畳まれ（折り重ねられ）、その折り畳み状態で戸枠２における右側竪枠３Ｌ，３Ｒ前側の開口４外部に収納される。そのため、全開状態では、引き折戸１５を戸枠２内の開口内に納めるインセット納まりのように、折り畳まれた折戸１８Ｌ，１８Ｒが戸枠２の開口４の一部に残ってそれを塞ぐことはなく、戸枠２の開口４が比較的狭い場合でも広い開放スペースを確保することができ、引き折戸１５の使い勝手を向上させることができる。
【００４４】
また、上記全開状態では、折戸１８Ｌ，１８Ｒが戸枠２における右側竪枠３Ｌ，３Ｒ前側の開口４外部に折り畳まれて収納されるので、その収納のためのスペースは折戸１８Ｌ，１８Ｒのない引戸装置に比べて小さくなり、収納のための省スペース化を達成することができる。
【００４５】
さらに、引き折戸１５の全開位置では、引戸１６の一部（例えば右半部）が、折り畳まれた折戸１８Ｌ，１８Ｒと同様に戸枠２における右側竪枠３Ｌ，３Ｒ前側の開口４外部に収納されるので、戸枠２の開口４内に引戸１６が大きく残ることはない。そのため、開口４が略完全に開放されるようになって、戸枠２の開口４内の開放スペースをさらに大に確保することができる。
【００４６】
全開状態にある引き折戸１５を閉じるときには、操作ハンドル１７を掴んで引戸１６を左側に移動させればよく、上記開き動作と逆の動作が行われて、引き折戸１５が全閉位置に移動する。
【００４７】
（実施形態２）
図３は実施形態２に係る引き折戸装置Ａ２を示し（尚、以下の各実施形態では、図１及び図２と同じ部分については同じ符号を付してその詳細な説明は省略する）、上記実施形態１では、両折戸１８Ｌ，１８Ｒの端部間を連結するリンク部材１９のピボット軸２０，２０による連結位置の違いによって両折戸１８Ｌ，１８Ｒが折れ曲がるきっかけを生じさせるようにしているのに対し、リンク部材１９と戸先側折戸１８Ｌの端部とを連結しているピボット軸２０を溝により前側に案内して両折戸１８Ｌ，１８Ｒが折れ曲がるきっかけを生じさせるようにしたものである。
【００４８】
すなわち、この実施形態では、実施形態１と同様に、両折戸１８Ｌ，１８Ｒの端部のうち、戸先側折戸１８Ｌの戸尻側折戸である右端部と、戸尻側折戸１８Ｒの戸先側端部である左端部とは、両折戸１８Ｌ，１８Ｒの折り畳み時に前側に移動する端部であり、これらの端部間には接続部材としてのリンク部材１９が介在され、リンク部材１９の両端部はそれぞれ上下方向の軸心を有するピボット軸２０，２０により戸先側折戸１８Ｌの右端部と戸尻側折戸１８Ｒの左端部とに連結されており、２枚の折戸１８Ｌ，１８Ｒ同士はリンク部材１９により互いに上下方向の軸心回りに揺動可能に連結されている。
【００４９】
そして、実施形態１とは異なり、図４に示すように、ピボット軸２０，２０のうち、リンク部材１９を戸先側折戸１８Ｌの戸尻側端部に連結する左側のピボット軸２０は上方に延長されている。一方、ガイドレール又は戸枠２の上枠には、上記左側のピボット軸２０の延長部に嵌合してそれを案内する連結案内部としての案内溝２３を下面に有する案内溝形成部２４が設けられている。案内溝２３は、平面視で右側に向かって前側に向かうように湾曲しながら傾斜し、その溝長さ方向の左端（後端）は閉塞されているが、右端（前端）はピボット軸２０の延長部が溝端部から出入り可能に開放されている。そして、引き折戸１５が全閉状態にあるときには、リンク部材１９の戸先側折戸１８Ｌとの連結部である上記ピボット軸２０の延長部が案内溝２３の後端に位置し（図４参照）、この全閉位置から引き折戸１５が全開位置に向かって移動するとき、案内溝２３により、リンク部材１９の戸先側折戸１８Ｌとの間のピボット軸２０を、図４で矢印にて示すように前側に案内して戸先側折戸１８Ｌを回動させるようにしている。その他の構成は実施形態１と同様である。
【００５０】
したがって、この実施形態においても、上記実施形態１と同様の作用効果が得られる。
【００５１】
また、引き折戸１５の動作について説明すると、引戸１６が引き折戸１５の全閉位置にあるときには、図３（ａ）に示すように、リンク部材１９の戸先側折戸１８Ｌとの連結部であるピボット軸２０の延長部が案内溝形成部２４の案内溝２３の後端に位置している。引き折戸１５がこの全閉位置から全開位置に向かって移動すると、この引戸１６の移動に伴い、図３（ｂ）に示すように、折戸１８Ｌ，１８Ｒにおいて折り畳み時に前側に移動する端部同士を連結しているリンク部材１９の戸先側折戸１８Ｌとの連結部であるピボット軸２０の延長部が案内溝形成部２４の案内溝２３内を移動する。この案内溝２３は平面視で右側に向かって前側に向かうように傾斜しているので、この案内溝形成部２４の案内溝２３による案内によりピボット軸２０が前側に押され、このピボット軸２０に連結されている戸先側折戸１８Ｌがピボット軸２０側の戸尻側端部を前側に向かうように図で時計回り方向に回動し、この戸先側折戸１８Ｌの回動によって両折戸１８Ｌ，１８Ｒの連結部が前側に折れ曲がり、この動作をきっかけとして、図３（ｃ）に示すように折戸１８Ｌ，１８Ｒが回動する。このことで、図３（ｄ）に示すように、実施形態１と同様に２枚の折戸１８Ｌ，１８Ｒをスムーズに折り畳むことができる。
【００５２】
（実施形態３）
図５は実施形態３に係る引き折戸装置Ａ３を示し、上記実施形態２に構造において、引き折戸１５を全閉位置から開くときに、その初期に引き折戸１５全体を戸尻方向（右方向）にスライド移動させるようにしたものである。
【００５３】
すなわち、この実施形態においては、戸尻側折戸１８Ｒの戸尻側端部を揺動可能に支持している折戸軸２２は、支持ブラケット６（折戸支持部）に対し、同支持ブラケット６に形成したガイド溝７により左右方向にスライド移動可能に支持されており、このことで、引き折戸１５を全閉位置から開いたときに、その初期の段階で引き折戸１５が右方向に所定距離Ｌだけスライド移動するようになっている。
【００５４】
また、案内溝形成部２４の案内溝２３は、平面視で右側に向かって前側に向かうように傾斜しているが、その溝長さ方向の左端（後端）及び右端（前端）はいずれもピボット軸２０の延長部が溝端部から出入り可能に開放されている。また、案内溝形成部２４の位置も実施形態２に比べて右側に上記所定距離Ｌと同じ寸法だけずれており、引き折戸１５が全閉位置から開いて右方向に所定距離Ｌだけスライド移動した後にピボット軸２０の延長部が案内溝２３に左端から入り、引き折戸１５がさらに右方向に移動すると、ピボット軸２０の延長部が案内溝２３の右端から抜け出すようになっている。尚、引き折戸１５は全開位置で引戸１６が戸枠２の右側の竪枠３Ｒに近接するので、引戸１６における後側の操作ハンドル１７は省略されている。
【００５５】
その他は実施形態２と同様の構成であり、この実施形態でも実施形態２と同様の作用効果を奏することができる。
【００５６】
また、この実施形態では、特に、引戸１６が引き折戸１５の図５（ａ）に示す全閉位置から全開位置に移動するとき、図５（ｂ）に示すように、一旦、引き折戸１５の全体が開き方向にスライドした後、図５（ｃ）及び図５（ｄ）に示すように、実施形態２と同様の動作で複数枚の折戸１８Ｌ，１８Ｒが折り畳まれる。このように開き動作の初期に引き折戸１５の全体がスライドすることで、全開位置では引戸１６を戸枠２の開口４のさらに右外側に移動させることができ、戸枠２の開口４内により一層広い開放スペースを確保することができる利点がある。
【００５７】
（実施形態４）
図６は実施形態４に係る引き折戸装置Ａ４を示し、引き折戸１５が引き動作時に右側に移動したときに、それと連係して戸尻側折戸１８Ｒを前側に押して折戸軸２２回りに回動させることで、両折戸１８Ｌ，１８Ｒの折れ曲がりのきっかけを生じさせるようにしている。
【００５８】
すなわち、この実施形態では、引き折戸１５の両折戸１８Ｌ，１８Ｒは、実施形態２と同様にリンク部材１９により互いに上下方向の軸心回りに揺動可能に連結されている。
【００５９】
また、実施形態３と同様に、戸尻側折戸１８Ｒの戸尻側端部を揺動可能に支持している折戸軸２２は、支持ブラケット６（折戸支持部）のガイド溝７に対し左右方向にスライド移動可能に支持されており、このことで、引き折戸１５を全閉位置から開いたときに、その初期の段階で引き折戸１５が右方向に所定距離Ｌ１だけスライド移動するようになっている。
【００６０】
そして、例えば戸枠２における右側の竪枠３Ｒには、その前面に有底の穴部（図示せず）が形成され、この穴部に押し部材２６が出没可能に嵌装され、この押し部材２６と穴部の底部との間には、押し部材２６を突出方向（前方向）に付勢する圧縮バネ（図示せず）が縮装されている。押し部材２６及び穴部の位置は、引き折戸１５が全閉位置にあるときに戸尻側折戸１８Ｒの折戸軸２２と左右方向に略一致し、引き折戸１５が全閉位置から開き方向に上記所定距離Ｌ１だけ右方向にスライド移動した段階で折戸軸２２の位置から外れてその左側の戸尻側折戸１８Ｒの後面に対向するような位置に設定されており、このことで、引き折戸１５が全閉位置から全開位置に向かって右方向に所定距離Ｌ１だけスライド移動したとき、戸尻側折戸１８Ｒを圧縮バネで付勢された押し部材２６により前側に押して折戸軸２２回りに図で反時計回り方向に回動させるようにしている。
【００６１】
この実施形態においては、引戸１６が引き折戸１５の図６（ａ）に示す全閉位置にあるときには、戸尻側折戸１８Ｒの折戸軸２２が竪枠３Ｌ，３Ｒ前面の穴部内の押し部材２６の位置と左右方向に略一致している。そのため、押し部材２６が圧縮バネの付勢力によって戸尻側折戸１８Ｒを押しても、その押す位置は折戸軸２２の位置であるので、その戸尻側折戸１８Ｒを回動させるモーメントが働かない。
【００６２】
そして、図６（ｂ）に示すように、引戸１６が全閉位置から全開位置に向かって右方向にスライド移動すると、この引戸１６の移動により、引き折戸１５全体が右方向に所定距離Ｌ１だけ移動し、戸尻側折戸１８Ｒを支持している折戸軸２２も支持ブラケット６に対しスライド移動する。このスライド移動に伴い、圧縮バネによって付勢力されている押し部材２６の押す位置が相対的に折戸軸２２よりも左側に移り、この押す位置の変化により戸尻側折戸１８Ｒを回動させるモーメントが働くようになり、このモーメントにより、図６（ｃ）に示すように、戸尻側折戸１８Ｒが折戸軸２２を中心にして該折戸軸２２と反対側の端部が前側に向かうように図で反時計回り方向に回動する。この回動動作をきっかけとして戸尻側折戸１８Ｒに連結されている戸先側折戸１８Ｌも回動し、このことで両折戸１８Ｌ，１８Ｒがスムーズに折り畳まれ、図６（ｄ）に示すように、全開位置で引き折戸１５を開くことができる。尚、この引き折戸１５の全開位置では、押し部材２６は引戸１６により押されて竪枠３Ｒの穴部に没入する。
【００６３】
したがって、この実施形態でも実施形態１等と同様の作用効果が得られる。
【００６４】
（実施形態５）
図７は実施形態５に係る引き折戸装置Ａ５を示し、引き折戸１５の開き動作の初期に戸尻側折戸１８Ｒの戸尻側端部を後側に変位するようにスライドさせることで、両折戸１８Ｌ，１８Ｒの折れ曲がり動作のきっかけを生じさせるようにしたものである。
【００６５】
すなわち、この実施形態では、引戸１６を支持するガイドレールは戸枠２の上枠と平行であるが、その戸枠２に対し離れて配置されており、そのため、図７（ａ）に示すように、引戸１６及び２枚の折戸１８Ｌ，１８Ｒからなる引き折戸１５は全閉位置で戸枠２前側に離隔した状態で位置している。
【００６６】
また、支持ブラケット６（折戸支持部）には折戸軸案内部としてのガイド溝７が形成され、このガイド溝７に折戸軸２２がスライド移動可能に支持され、このガイド溝７は、平面視で右側に向かって後側に向かうように湾曲しながら傾斜している。このことで、引き折戸１５が全閉位置から全開位置に向かって移動するとき、案内溝２３によって折戸軸２２を後側に移動するように案内する構造となっている。
【００６７】
この実施形態においては、図７（ａ）に示すように、引き折戸１５は全閉位置で戸枠２前側に離隔した状態で位置しており、この引き折戸１５を全開位置に向かって右側に移動させると、図７（ｂ）に示すように、支持ブラケット６のガイド溝７にスライド移動可能に支持されている折戸軸２２が後側に向かって移動するように案内される。この折戸軸２２の後側への移動に伴い、戸尻側折戸１８Ｒが折戸軸２２を中心にして該折戸軸２２と反対側の端部が前側に移動するように図で反時計回り方向に回動する。図７（ｃ）に示すように、この回動動作をきっかけとして戸尻側折戸１８Ｒに連結されている戸先側折戸１８Ｌも回動し、このことで両折戸１８Ｌ，１８Ｒがスムーズに折り畳まれ、図７（ｄ）に示すように、全開位置で引き折戸１５を開くことができる。
【００６８】
したがって、この実施形態でも実施形態１等と同様の作用効果が得られる。
【００６９】
（実施形態６）
図８は実施形態６に係る引き折戸装置Ａ６を示し、上記実施形態５において、全閉位置にある引き折戸１５を戸枠２前側に戸枠２と近接ないし当接させた状態で配置したものである。
【００７０】
すなわち、この実施形態では、引戸１６を吊下げ支持するガイドレールは、その左端部が戸枠２（左側の竪枠３Ｌ）に近接し、該左端部から右側に向かうに伴って戸枠２から離れ、その離れた状態のまま戸枠２の上枠と平行に延びており、この左端部を除いた部分のガイドレールは実施形態５と同様である。そのため、図８（ａ）に示すように、引き折戸１５は全閉位置にあるときに戸枠２前側に戸枠２に対し近接ないし当接した状態で位置している。尚、引き折戸１５は全閉位置で戸枠２に近接ないし当接するので、引戸１６における後側の操作ハンドル１７は省略されている。
【００７１】
また、実施形態５と同様に、支持ブラケット６（折戸支持部）にはガイド溝７が形成され、このガイド溝７に折戸軸２２がスライド移動可能に支持されている。実施形態５とは異なり、このガイド溝７は平面視で、左端部が右側に向かって前側に向かうように傾斜し、この左側部の右端に連続する右端部が右側に向かって後側に向かうように傾斜していて、全体として略Ｌ字状又は略へ字状に湾曲している。このことで、引き折戸１５が全閉位置から全開位置に向かって移動するとき、ガイドレール及びガイド溝７によって引戸１６及び折戸１８Ｌ，１８Ｒの全体を一旦戸枠２の前側に戸枠２に対し離隔させた後に、戸尻側折戸１８Ｒの戸尻側端部にある折戸軸２２を後側に移動するように案内する構造となっている。
【００７２】
本実施形態では、上記ガイドレールと支持ブラケット６のガイド溝７とにより、引戸１６及び折戸１８Ｌ，１８Ｒを戸枠２の前側に戸枠２に対し離隔させた後に折戸軸２２を後側に移動させるように案内する引き折戸案内部が構成されている。
【００７３】
したがって、この実施形態の場合、図８（ａ）に示すように、引き折戸１５は全閉位置で戸枠２前側に戸枠２と近接ないし当接した状態で位置しており、この引き折戸１５を全開位置に向かって右側に移動させると、図８（ｂ）に示すように、ガイドレールの左端部及び支持ブラケット６のガイド溝７の左側部により、引戸１６及び折戸１８Ｌ，１８Ｒ（引き折戸１５の全体）が一旦戸枠２の前側に戸枠２に対し離隔するように移動する。次いで、その離隔状態のままで、今度は折戸軸２２が支持ブラケット６のガイド溝７の右側部により後側に向かって移動するように案内される。この折戸軸２２の後側への移動に伴い、図８（ｃ）に示すように、戸尻側折戸１８Ｒが折戸軸２２を中心にして該折戸軸２２と反対側の端部が前側に移動するように図で反時計回り方向に回動し、この回動をきっかけとして戸尻側折戸１８Ｒに連結されている戸先側折戸１８Ｌも回動する。このことで両折戸１８Ｌ，１８Ｒがスムーズに折り畳まれ、図８（ｄ）に示すように、全開位置で引き折戸１５を開くことができる。
【００７４】
したがって、この実施形態でも実施形態５と同様の作用効果が得られる。特に、引き折戸１５の全閉位置では、引戸１６及び折戸１８Ｌ，１８Ｒが戸枠２に対し近接ないし当接しているので、実施形態５に比較して、戸枠２の開口４を引き折戸１５により隙間の小さい状態で閉じることができる。
【００７５】
（その他の実施形態）
上記各実施形態は、引き折戸１５の折戸１８Ｌ，１８Ｒが２枚の場合であるが、２枚以上の複数枚（偶数枚）の折戸を備えた引き折戸であってもよい。
【００７６】
また、上記各実施形態では、引き折戸１５は、上端部でガイドレールによって吊下げ支持されているものとしているが、下端部も床面上のガイドレールによって支持されるようにしてもよい。さらに、床面上にガイド軸を設置し、当該ガイド軸により折戸軸２２の下端部も案内するようにすれば、引き折戸１５の開閉動作がより安定する。
【産業上の利用可能性】
【００７７】
本発明は、開き状態での戸枠開口の広い開放スペースの確保と、閉じ状態での折戸の格納スペースの省スペース化の達成とを併せ図ることができるので、極めて有用である。
【符号の説明】
【００７８】
Ａ１〜Ａ６  引き折戸装置
Ｒ１，Ｒ２  部屋
１  壁
２  戸枠
３Ｌ，３Ｒ  竪枠
４  開口
６  支持ブラケット（折戸支持部）
７  ガイド溝（折戸軸案内部、引き折戸案内部）
１５  引き折戸
１６  引戸
１７  操作ハンドル（操作部）
１８Ｌ，１８Ｒ  折戸
１９  リンク部材（接続部材）
２０  ピボット軸
Ｄ  距離
２２  折戸軸
２３  案内溝（連結案内部）
２４  案内溝形成部
２６  押し部材
【図１】
2015190137.tif 000003
【図２】
2015190137.tif 000004
【図３】
2015190137.tif 000005
【図４】
2015190137.tif 000006
【図５】
2015190137.tif 000007
【図６】
2015190137.tif 000008
【図７】
2015190137.tif 000009
【図８】
2015190137.tif 000010